(57)【特許請求の範囲】
【請求項１】
第一パネル及び第二パネルの間に所定幅の目地が形成されるように前記第一パネル及び前記第二パネルを施工面に貼り付けるとともに、前記目地において前記施工面を目地テープで覆うパネル施工方法であって、
前記第一パネルを前記施工面に貼り付けるとともに、前記第一パネルの端縁部と前記施工面との間に隙間を形成する第一パネル貼付工程と、
前記目地テープの一方の側端部を前記隙間に挿入する目地テープ挿入工程と、
前記第二パネルの端縁部で前記目地テープの他方の側端部を覆い、前記第一パネルから所定幅を開けて前記第二パネルを前記施工面に貼り付ける第二パネル貼付工程と、を備える、
パネル施工方法。
【請求項２】
前記目地テープは、長尺の基材と、基材の一方の面に付着された粘着材と、前記粘着材を覆う長尺の剥離シートと、を備え、
前記剥離シートは、前記剥離シートの長手方向に沿った切込みが形成されており、
前記目地テープ挿入工程と前記第二パネル貼付工程との間において、前記切込みに沿って前記剥離シートの前記第一パネルとは反対側の部分を剥離して、前記粘着材を前記施工面に貼り付ける目地テープ貼付工程を更に備えることを特徴とする、
請求項１に記載のパネル施工方法。
【請求項３】
前記目地テープは、長尺の基材と、基材の一方の面に付着された粘着材と、前記粘着材を覆う長尺の剥離シートと、を備え、
前記第二パネル貼付工程の前に、前記剥離シートを剥離する剥離工程を更に備えることを特徴とする、
請求項１に記載のパネル施工方法。
【請求項４】
前記目地テープ挿入工程では、前記隙間に挿入する前記目地テープの一方の側端部は、ＪＩＳ  Ｌ１９１３：２０１０に規定するガーレ法による剛軟度が、３ｍＮ以上であることを特徴とする、
請求項１〜３の何れか一項に記載のパネル施工方法。
【発明の詳細な説明】
【技術分野】
【０００１】
本発明は、第一パネル及び第二パネルの間に所定幅の目地が形成されるように第一パネル及び第二パネルを施工面に貼り付けるとともに、この目地において施工面を目地テープで覆うパネル施工方法及び目地テープに関する。
【背景技術】
【０００２】
従来から、壁面に施工するパネルを目透しに仕上げるパネル施工方法が知られている。パネル施工方法では、目地の意匠性を高めるために、目地において施工面を目地テープで覆うことが行われている（例えば、特許文献１参照）。具体的には、まず、施工面に目地位置を墨出しし、墨出しした位置に目地テープを貼り付ける。その後、パネル間に所定幅の目地が形成されるように、壁の端からパネルを順次貼り付けていく。
【先行技術文献】
【特許文献】
【０００３】
【特許文献１】特開平０９−０２１２２３号公報
【発明の概要】
【発明が解決しようとする課題】
【０００４】
しかしながら、従来のパネル施工方法では、施工面にパネルを貼り付ける前に、墨出し等により施工面の目地位置に印を付ける必要があるため、作業効率が悪いという問題がある。また、設計通りの目地幅としてパネルを貼り付けて行くのは、熟練の職人でも極めて難しい。このため、パネルを端から順に貼り付けていくと、実際の目地位置と目地テープの位置とにずれが生じてしまう。その結果、目地テープを貼り直す必要が生じるため、作業効率が悪いという問題もある。
【０００５】
そこで、本発明は、作業性よく目透しに仕上げることができるパネル施工方法及び目地テープを提供することを課題とする。
【課題を解決するための手段】
【０００６】
本発明に係るパネル施工方法は、第一パネル及び第二パネルの間に所定幅の目地が形成されるように第一パネル及び第二パネルを施工面に貼り付けるとともに、目地において施工面を目地テープで覆うパネル施工方法であって、第一パネルを施工面に貼り付けるとともに、第一パネルの端縁部と施工面との間に隙間を形成する第一パネル貼付工程と、目地テープの一方の側端部を隙間に挿入する目地テープ挿入工程と、第二パネルの端縁部で目地テープの他方の側端部を覆い、第一パネルから所定幅を開けて第二パネルを施工面に貼り付ける第二パネル貼付工程と、を備える。
【０００７】
本発明に係るパネル施工方法では、第一パネルを施工面に貼り付けた後に、第一パネルの端縁部と施工面との間の隙間に目地テープの一方の側端部を挿入し、その後に、目地テープの他方の側端部を覆うように第二パネルを施工面に貼り付ける。つまり、事前に目地テープの位置を決める必要は無く、第一パネルの貼付位置に応じて目地テープの位置を決めることができる。このため、従来のように、墨出し等により施工面に目地位置に印を付ける必要が無く、また、パネルを貼り付ける前に目地テープを施工面に貼り付ける必要が無い。これにより、作業性よく目透しに仕上げることができる。
【０００８】
本発明に係るパネル施工方法において、目地テープは、長尺の基材と、基材の一方の面に付着された粘着材と、粘着材を覆う長尺の剥離シートと、を備え、剥離シートは、剥離シートの長手方向に沿った切込みが形成されており、目地テープ挿入工程と第二パネル貼付工程との間において、切込みに沿って剥離シートの第一パネルとは反対側の部分を剥離して、粘着材を施工面に貼り付ける目地テープ貼付工程を更に備えてもよい。このパネル施工方法では、目地テープが粘着材を備えるため、剥離シートの剥離により露出した粘着材により、目地テープを施工面に貼り付けることができる。これにより、目地テープが施工面から剥がれたり外れたりするのを抑制することができる。しかも、第一パネルの端縁部と施工面との間に形成される隙間に目地テープを挿入した後、切込みに沿って剥離シートの第一パネルとは反対側の部分を剥離して、粘着材を施工面に貼り付けるため、目地テープを当該隙間に挿入する作業性を犠牲にすることなく、目地テープを施工面に貼り付けることができる。
【０００９】
本発明に係るパネル施工方法において、目地テープは、長尺の基材と、基材の一方の面に付着された粘着材と、粘着材を覆う長尺の剥離シートと、を備え、第二パネル貼付工程の前に、剥離シートを剥離する剥離工程を更に備えてもよい。このパネル施工方法では、目地テープが粘着材を備えるため、剥離シートの剥離により露出した粘着材により、目地テープを施工面に貼り付けることができる。これにより、目地テープが施工面から剥がれたり外れたりするのを抑制することができる。
【００１０】
本発明に係るパネル施工方法において、目地テープ挿入工程では、隙間に挿入する目地テープの一方の側端部は、ＪＩＳ  Ｌ１９１３：２０１０に規定するガーレ法による剛軟度が、ｍＮ３以上であってもよい。このパネル施工方法では、隙間に挿入する目地テープの一方の側端部の剛軟度がｍＮ３以上であるため、目地テープのコシが強くなることにより、目地テープを隙間に挿入する際の作業性が向上する。
【００１１】
本発明に係る目地テープは、第一パネル及び第二パネルの間の目地において施工面を覆う目地テープであって、長尺の基材と、基材の一方の面に付着された粘着材と、粘着材を覆う長尺の剥離シートと、を備え、剥離シートは、剥離シートの長手方向に沿った切込みが形成されている。
【００１２】
本発明に係る目地テープでは、基材に一方の面に粘着材が付着されているため、剥離シートを剥がすことにより、目地テープを施工面に貼り付けることができる。これにより、目地テープが施工面から剥がれたり外れたりするのを抑制することができる。しかも、剥離シートは、剥離シートの長手方向に沿った切込みが形成されているため、剥離シートの一方側の部分のみを剥離することができる。このため、例えば、上記の方法に適用する場合は、剥離シートを剥がさずに剥離シートで粘着材を覆った状態とすることで、施工面に貼り付けられた第一パネルの端縁部と施工面との間に形成される隙間に目地テープを容易に挿入することができる。一方、当該隙間に挿入した後は、剥離シートの第一パネルとは反対側の部分を剥離することで、当該隙間に目地テープを挿入した状態のまま、粘着材を露出させて施工面に貼り付けることができる。そして、第二パネルの端縁部で目地テープの他方の側端部を覆い、第一パネルから所定幅を開けて第二パネルを施工面に貼り付けることで、作業性良く目透しに仕上げることができる。
【００１３】
本発明に係る目地テープにおいて、剥離シートが剥離された目地テープのＪＩＳ  Ｌ１９１３：２０１０に規定するガーレ法による剛軟度が、３ｍＮ以上であってもよい。この目地テープでは、剛軟度が３ｍＮ以上であるため、目地テープのコシが強くなることにより、施工面に貼り付けられた第一パネルの端縁部と施工面との間に形成される隙間に挿入する際の作業性が向上する。
【発明の効果】
【００１４】
本発明によれば、作業性よく目透しに仕上げることができる。
【図面の簡単な説明】
【００１５】
【図１】第１の実施形態のパネル施工方法により目透しに仕上げられた壁面の正面図である。
【図２】図１に示すＩＩ−ＩＩ線における断面図である。
【図３】第１の実施形態のパネル施工方法を説明するための断面図である。
【図４】第１の実施形態のパネル施工方法を説明するための正面図である。
【図５】第２の実施形態の目地テープを示す斜視図である。
【図６】第２の実施形態のパネル施工方法を説明するための断面図である。
【図７】第３の実施形態の目地テープを示す斜視図である。
【図８】第３の実施形態のパネル施工方法を説明するための断面図である。
【図９】第３の実施形態の別のパネル施工方法を説明するための断面図である。
【発明を実施するための形態】
【００１６】
以下、図面を参照して、実施形態のパネル施工方法及び目地テープについて詳細に説明する。なお、全図中、同一または相当部分には同一符号を付し、重複する説明を省略する。
【００１７】
［第１の実施形態］
図１は、第１の実施形態のパネル施工方法により目透しに仕上げられた壁面を示す正面図である。図２は、図１に示すＩＩ−ＩＩ線における断面図である。図１及び図２に示すように、本実施形態のパネル施工方法は、複数枚のパネル１を目透しに仕上げる方法である。なお、隣り合うパネル１を、特に第一パネル１ａ及び第二パネル１ｂという。このパネル施工方法により施工された壁面では、パネル１が、貼付材２により施工面３に貼り付けられている。また、隣り合う第一パネル１ａと第二パネル１ｂとの間に、所定幅の目地Ａが形成されている。なお、目地Ａの幅を目地幅ｄという。そして、目地Ａとなる施工面３が、目地テープ４で覆われている。つまり、本実施形態のパネル施工方法は、第一パネル１ａ及び第二パネル１ｂの間に所定幅の目地Ａが形成されるように第一パネル１ａ及び第二パネル１ｂを施工面３に貼り付けるとともに、この目地Ａにおいて施工面３を目地テープ４で覆う方法である。
【００１８】
パネル１は、矩形に形成された板状の化粧板である。パネル１の表面１１は、室内側に向けられる面である。この表面１１には、各種素材や化粧シートの貼り付け、あるいは塗料による塗装により各種意匠が施されている。パネル１の裏面１２は、施工面３に貼り付けられる面である。
【００１９】
貼付材２は、パネル１を施工面３に貼り付けるものである。貼付材２としては、例えば、両面テープや接着剤等が用いられる。
【００２０】
施工面３は、柱などの構造体に取り付けられた下地材の面となる。下地材としては、例えば、石膏ボードやセメント板等が用いられる。
【００２１】
目地テープ４は、長尺に形成されて、目地Ａにおいて施工面３を覆うテープである。目地テープ４の長さは、例えば、数十メートルとすることができる。この場合、円筒状の芯材に巻き付けた巻回体として用いられる。目地テープ４の幅は、目地テープ４の幅方向両端部がパネル１に覆われるように、目地幅ｄよりも広くなっている。例えば、目地幅ｄが３〜１０ｍｍ程度である場合は、目地テープ４の幅は１０〜３０ｍｍ程度とすることができる。目地テープ４の厚さは、例えば、１ｍｍ以下とすることができる。目地テープ４の素材は、例えば、ＰＶＣやＰＥＴ等の樹脂、紙、紙と樹脂とを貼り合わせた複合材、樹脂と樹脂とを貼り合わせた複合材、紙にジアリルフタレートやメラミン等の樹脂を含浸させた複合材、紙や樹脂フィルムと金属箔との複合材などを用いることができる。そして、本実施形態では、目地テープ４として、表裏面に粘着性を有しないテープを用いる。
【００２２】
また、後述するように、目地テープ４は、第一パネル１ａと施工面３との間の隙間Ｂ（図３参照）に挿入する。このため、目地テープ４は、当該隙間Ｂに挿入できるコシ（剛性）を有する。具体的には、目地テープ４は、ＪＩＳ  Ｌ１９１３：２０１０に規定するガーレ法による剛軟度が、３ｍＮ以上であることが好ましく、１２ｍＮ以上であることが更に好ましい。
【００２３】
次に、図３及び図４を参照して、本実施形態のパネル施工方法について説明する。図３は、第１の実施形態のパネル施工方法を説明するための断面図である。図４は、第１の実施形態のパネル施工方法を説明するための正面図である。
【００２４】
本実施形態のパネル施工方法では、まず、第一パネル貼付工程を行う。図３の（ａ）及び図４の（ａ）に示すように、第一パネル貼付工程では、第一パネル１ａの裏面１２に貼付材２を付けて、第一パネル１ａを施工面３に貼り付ける。その際、第一パネル１ａの端縁部１３端縁部には貼付材２を付けないようにして、第一パネル１ａの端縁部１３と施工面３との間に隙間Ｂを形成する。端縁部１３とは、パネルの周端縁に位置する部位であり、隣り合う第一パネル１ａ及び第二パネル１ｂの端縁部１３により目地Ａが形成される。
【００２５】
貼付材２を用いて第一パネル１ａを施工面３に貼り付けると、第一パネル１ａと施工面３とは、貼付材２の厚み分だけ、互いに離れた状態となる。例えば、貼付材２として両面テープを用いた場合は、両面テープの厚みの分だけ、第一パネル１ａと施工面３とは互いに離れた状態となる。一方、貼付材２として接着剤を用いた場合は、施工面３に第一パネル１ａを押し付けることで、接着剤の厚みは薄くなるが、接着剤の厚みは０にならないため、この場合であっても、第一パネル１ａと施工面３とは互いに離れた状態となる。このため、第一パネル１ａの端縁部１３の裏面１２に貼付材２を付けないようにすることで、第一パネル１ａの端縁部１３と施工面３との間に隙間Ｂを形成することができる。
【００２６】
隙間Ｂの寸法は、特に限定されないが、例えば、パネル１の施工後にパネル１の施工面側から隙間Ｂが視認し難くなるように、１．５ｍｍ以下とすることが好ましく、１．０ｍｍ以下とすることがより好ましい。
【００２７】
第一パネル施工工程が終了すると、次に、目地テープ挿入工程を行う。図３の（ｂ）及び図４の（ｂ）に示すように、目地テープ挿入工程では、目地テープ４の一方の側端部である目地テープ一方側端部４ａを隙間Ｂに挿入する。目地テープ一方側端部４ａは、目地テープ４の幅方向における一方の端部であって、目地テープ４の長手方向に沿って延びる部位である。ここで、隙間Ｂに挿入する目地テープ一方側端部４ａの、ＪＩＳ  Ｌ１９１３：２０１０に規定するガーレ法による剛軟度を、３ｍＮ以上とし、更には１２ｍＮ以上とすることが好ましい。目地テープ４は、表裏面に粘着性を有しないため、第一パネル１ａの裏面１２及び施工面３に対して滑りながら隙間Ｂに挿入される。すると、目地テープ一方側端部４ａは、隙間Ｂに挿入されることで、第一パネル１ａと施工面３とに挟み込まれる。これにより、目地テープ４が仮止めされた状態となる。
【００２８】
目地テープ挿入工程が終了すると、次に、第二パネル貼付工程を行う。図３の（ｃ）及び図４の（ｃ）に示すように、第二パネル貼付工程では、第二パネル１ｂの裏面１２に貼付材２を付けて、第二パネル１ｂを施工面３に貼り付ける。その際、第二パネル１ｂを、第一パネル１ａから目地幅ｄだけ離す。また、第二パネル１ｂの端縁部１３で目地テープ４の他方の側端部である目地テープ他方側端部４ｂを覆う。目地テープ他方側端部４ｂは、目地テープ一方側端部４ａの反対側の端部、つまり、目地テープ４の幅方向における他方の端部であって、目地テープ４の長手方向に沿って延びる部位である。これにより、目地テープ他方側端部４ｂが、第二パネル１ｂと施工面３とに挟み込まれるため、目地テープ４は、幅方向両端部が第一パネル１ａ又は第二パネル１ｂと施工面３とに挟み込まれることで、本止めされた状態となる。
【００２９】
このようにして第二パネル１ｂが施工面３に貼り付けられると、第一パネル１ａ及び第二パネル１ｂの間に所定幅の目地Ａが形成されるように、第一パネル１ａ及び第二パネル１ｂが施工面３に貼り付けられた状態となる。また、目地Ａにおいて施工面３が目地テープ４で覆われるとともに、目地テープ一方側端部４ａ及び目地テープ他方側端部４ｂが第一パネル１ａ及び第二パネル１ｂに覆われた状態となる。
【００３０】
以上説明したように、本実施形態のパネル施工方法では、第一パネル１ａを施工面３に貼り付けた後に、第一パネル１ａの端縁部１３と施工面３との間の隙間Ｂに目地テープ一方側端部４ａを挿入し、その後に、目地テープ他方側端部４ｂを覆うように第二パネル１ｂを施工面３に貼り付ける。つまり、事前に目地テープ４の位置を決める必要は無く、第一パネル１ａの貼付位置に応じて目地テープ４の位置を決めることができる。このため、従来のように、墨出し等により施工面３に目地位置に印を付ける必要が無く、また、パネル１を貼り付ける前に目地テープ４を施工面３に貼り付ける必要が無い。これにより、作業性よく目透しに仕上げることができる。
【００３１】
しかも、目地テープ一方側端部４ａを第一パネル１ａと施工面３との間の隙間Ｂに挿入すると、目地テープ一方側端部４ａが第一パネル１ａと施工面３とに挟み込まれるため、目地テープ４が仮止めされた状態となる。これにより、目地テープ４を施工面３に貼り付けなくても、目地テープ４が施工面３から脱落するのを抑制することができる。そして、第二パネル１ｂを施工面３に貼り付けると、目地テープ４の幅方向両端部が第一パネル１ａ又は第二パネル１ｂと施工面３とに挟み込まれるため、目地テープ４が本止めされた状態となる。これにより、目地Ａから目地テープ４が脱落するのを更に抑制することができる。
【００３２】
また、隙間Ｂに挿入する目地テープ一方側端部４ａの剛軟度を３ｍＮ以上、更には１２ｍＮ以上とすることで、目地テープ４のコシが強くなることにより、目地テープ４を隙間Ｂに挿入する際の作業性が向上する。
【００３３】
［第２の実施形態］
次に、図５を参照して、第２の実施形態の目地テープについて説明する。図５は、第２の実施形態の目地テープを示す斜視図である。図５に示すように、本実施形態の目地テープ５は、第１の実施形態の目地テープ４と同様に、矩形の第一パネル１ａ及び第二パネル１ｂの間の目地に取り付けられる目地テープである。目地テープ５は、第１の実施形態の目地テープ４と構造のみ相違する。このため、以下では、第１の実施形態の目地テープ４と相違する事項のみを説明し、第１の実施形態の目地テープ４と同様の事項の説明を省略する。
【００３４】
目地テープ５は、基材６、粘着材７及び剥離シート８の三層構造となっている。
【００３５】
基材６は、長尺に形成されて、目地テープ５の本体を成すテープ状部材である。基材６の素材としては、例えば、第１の実施形態の目地テープ４と同じ素材を用いることができる。基材６は、第一パネル１ａと施工面３との間の隙間Ｂに挿入できる剛性を有する。基材６の厚さは、例えば、０．０４〜０．７０ｍｍとすることができる。
【００３６】
粘着材７は、粘着性を有する材料により構成されており、基材６の一方の面に付着されている。粘着材７の材料としては、例えば、アクリル系、シリコーン系、ゴム系、ウレタン系を用いることができる。剥離シート８は、長尺に形成されており、粘着材７を覆っている。粘着材７の厚さは、例えば、０．００５〜０．２００ｍｍとすることができる。
【００３７】
剥離シート８の材料としては、例えば、紙、樹脂フィルム又はポリエチレンラミネート紙に、シリコーン等の剥離剤をコートしたものを用いることができる。剥離シート８の厚さは、０．０３〜０．３０ｍｍとすることができる。
【００３８】
そして、剥離シート８は、剥離シートの長手方向に沿った切込み９が形成されている。切込み９は、剥離シート８を幅方向に分離する切断線である。このため、剥離シート８は、切込み９を境として、一方側の第一剥離シート部８ａと他方側の第二剥離シート部８ｂとに分離されている。このため、目地テープ５は、第一剥離シート部８ａのみ、又は、第二剥離シート部８ｂのみ、を剥離することが可能となっている。
【００３９】
第一剥離シート部８ａは、目地テープ５の一方の側端部である目地テープ一方側端部５ａ側に配置されており、第二剥離シート部８ｂは、目地テープ５の他方の側端部である目地テープ他方側端部５ｂ側に配置されている。目地テープ一方側端部５ａは、第１の実施形態の目地テープ一方側端部４ａに対応する部位であって、第一パネル１ａと施工面３との間の隙間Ｂに挿入される部位である。目地テープ他方側端部５ｂは、第１の実施形態の目地テープ他方側端部４ｂに対応する部位であって、第二パネル１ｂの端縁部１３に覆われる部位である。
【００４０】
切込み９の形成位置は、特に限定されないが、本実施形態では、目地テープ５の幅方向中心よりも目地テープ他方側端部５ｂ側の位置であって、第二パネル１ｂの端縁部１３に覆われる領域に、切込み９が形成されている。このため、第一剥離シート部８ａは、第二剥離シート部８ｂよりも幅広となっている。
【００４１】
ここで、粘着材７が剥離シート８で覆われた三層の目地テープ５、又は、粘着材７から剥離シート８が剥離された二層の目地テープ５は、ＪＩＳ  Ｌ１９１３：２０１０に規定するガーレ法による剛軟度が、３ｍＮ以上であることが好ましく、１２ｍＮ以上であることが好ましい。
【００４２】
次に、図６を参照して、本実施形態のパネル施工方法について説明する。図６は、第２の実施形態のパネル施工方法を説明するための断面図である。
【００４３】
本実施形態のパネル施工方法では、まず、第一パネル貼付工程を行う。図６の（ａ）に示すように、この第一パネル貼付工程では、第１の実施形態の第一パネル貼付工程と同様に、第一パネル１ａを施工面３に貼り付けるとともに、第一パネル１ａの端縁部１３と施工面３との間に隙間Ｂを形成する。
【００４４】
第一パネル施工工程が終了すると、次に、目地テープ挿入工程を行う。図６の（ｂ）に示すように、目地テープ挿入工程では、剥離シート８を剥離せずに剥離シート８で粘着材７を覆った状態で、目地テープ一方側端部５ａを隙間Ｂに挿入する。ここで、隙間Ｂに挿入する目地テープ一方側端部５ａ（粘着材７から剥離シート１８が剥離された二層の目地テープ１５）の、ＪＩＳ  Ｌ１９１３：２０１０に規定するガーレ法による剛軟度を、３ｍＮ以上とし、更には１２ｍＮ以上とすることが好ましい。すると、目地テープ一方側端部５ａは、隙間Ｂに挿入されることで、第一パネル１ａと施工面３とに挟み込まれる。これにより、目地テープ５が仮止めされた状態となる。
【００４５】
目地テープ挿入工程が終了すると、次に、目地テープ貼付工程を行う。図６の（ｃ）に示すように、目地テープ貼付工程では、まず、切込み９に沿って剥離シート８の第一パネル１ａとは反対側の部分、つまり、第二剥離シート部８ｂを剥離する。なお、第一パネル施工工程では、目地テープ一方側端部５ａを隙間Ｂに挿入するため、目地テープ他方側端部５ｂ側に配置される第二剥離シート部８ｂは、第一パネル１ａと施工面３とに挟み込まれない。このため、第一パネル施工工程の後であっても、第二剥離シート部８ｂを容易に剥離することができる。そして、第二剥離シート部８ｂの剥離により露出された粘着材７を、施工面３に貼り付ける。これにより、施工面３に対する目地テープ５の脱落が、更に抑制される。
【００４６】
目地テープ貼付工程が終了すると、次に、第二パネル貼付工程を行う。図６の（ｄ）に示すように、第二パネル貼付工程では、第二パネル１ｂの裏面１２に貼付材２を付けて、第二パネル１ｂを施工面３に貼り付ける。その際、第二パネル１ｂを、第一パネル１ａから目地幅ｄだけ離す。また、第二パネル１ｂの端縁部１３で、目地テープ５の他方の側端部である目地テープ他方側端部５ｂと、第一剥離シート部８ａの一部と、を覆う。これにより、目地テープ他方側端部５ｂが、第二パネル１ｂと施工面３とに挟み込まれるため、目地テープ５は、幅方向両端部が第一パネル１ａ又は第二パネル１ｂと施工面３とに挟み込まれることで、本止めされた状態となる。
【００４７】
このようにして第二パネル１ｂが施工面３に貼り付けられると、第一パネル１ａ及び第二パネル１ｂの間に所定幅の目地Ａが形成されるように、第一パネル１ａ及び第二パネル１ｂが施工面３に貼り付けられた状態となる。また、目地Ａにおいて施工面３が目地テープ５で覆われるとともに、目地テープ一方側端部５ａ及び目地テープ他方側端部５ｂが第一パネル１ａ及び第二パネル１ｂに覆われた状態となる。
【００４８】
以上説明したように、本実施形態のパネル施工方法では、目地テープ５が粘着材７を備えるため、剥離シート８の剥離により露出した粘着材７により、目地テープ５を施工面３に貼り付けることができる。これにより、目地テープ５が施工面３から剥がれたり外れたりするのを抑制することができる。しかも、第一パネル１ａの端縁部１３と施工面３との間に形成される隙間Ｂに目地テープ５を挿入した後、切込み９に沿って第二剥離シート部８ｂ（剥離シート８の第一パネル１ａとは反対側の部分）を剥離して、粘着材７を施工面３に貼り付けるため、目地テープ５を隙間Ｂに挿入する作業性を犠牲にすることなく、目地テープ５を施工面３に貼り付けることができる。
【００４９】
また、隙間Ｂに挿入する目地テープ一方側端部５ａの剛軟度を３ｍＮ以上、更には１２ｍＮ以上とすることで、目地テープ５のコシが強くなることにより、目地テープ５を隙間Ｂに挿入する際の作業性が向上する。
【００５０】
［第３の実施形態］
次に、図７を参照して、第３の実施形態の目地テープについて説明する。図７は、第３の実施形態の目地テープを示す斜視図である。図７に示すように、本実施形態の目地テープ１５は、第２の実施形態の目地テープ５と同様に、矩形の第一パネル１ａ及び第二パネル１ｂの間の目地に取り付けられる目地テープである。目地テープ１５は、第２の実施形態の目地テープ５と基本的に同様であり、剥離シートに切込が形成されていない点のみ、第２の実施形態の目地テープ５と相違する。このため、以下では、第２の実施形態の目地テープ５と相違する事項のみを説明し、第２の実施形態の目地テープ５と同様の事項の説明を省略する。
【００５１】
目地テープ１５は、基材６、粘着材７及び剥離シート１８の三層構造となっている。
【００５２】
剥離シート１８は、切込が形成されていないことを除き、第２の実施形態の剥離シート８と同一である。つまり、剥離シート１８は、基材６と同形状に形成されて、粘着材７の全面を覆っている。剥離シート１８の素材及び厚さは、第２の実施形態の剥離シート８と同様である。
【００５３】
次に、図８を参照して、本実施形態のパネル施工方法について説明する。図８は、第３の実施形態のパネル施工方法を説明するための断面図である。
【００５４】
本実施形態のパネル施工方法では、まず、図８の（ａ）に示すように、第一実施形態と同様の第一パネル貼付工程を行う。
【００５５】
第一パネル施工工程が終了すると、次に、剥離工程を行う。図８の（ｂ）に示すように、剥離工程では、粘着材７から剥離シート１８を剥がす。これにより、目地テープ１５は、施工面３に貼り付けられる状態となる。
【００５６】
剥離工程が終了すると、次に、目地テープ挿入工程を行う。図８の（ｃ）に示すように、目地テープ挿入工程では、剥離シート１８を剥離した状態で、目地テープ１５の一方の側端部である目地テープ一方側端部１５ａを隙間Ｂに挿入する。ここで、隙間Ｂに挿入する目地テープ一方側端部１５ａ（粘着材７から剥離シート１８が剥離された二層の目地テープ１５）の、ＪＩＳ  Ｌ１９１３：２０１０に規定するガーレ法による剛軟度を、３ｍＮ以上とし、更には１２ｍＮ以上とすることが好ましい。すると、目地テープ１５は、目地テープ一方側端部５ａが隙間Ｂに挿入された状態で、粘着材７により施工面３に貼り付けられる。これにより、目地テープ１５が本止めされた状態となる。
【００５７】
目地テープ挿入工程が終了すると、次に、第二パネル貼付工程を行う。図８の（ｄ）に示すように、第二パネル貼付工程では、第二パネル１ｂの裏面１２に貼付材２を付けて、第二パネル１ｂを施工面３に貼り付ける。その際、第二パネル１ｂを、第一パネル１ａから目地幅ｄだけ離す。また、第二パネル１ｂの端縁部１３で、目地テープ１５の他方の側端部である目地テープ他方側端部１５ｂと、第一剥離シート部８ａの一部と、を覆う。
【００５８】
次に、図９を参照して、本実施形態の別のパネル施工方法について説明する。このパネル施工方法は、上述したパネル施工方法において、剥離工程及び目地テープ挿入工程の順序を入れ替えた方法である。図９は、第３の実施形態の別のパネル施工方法を説明するための断面図である。
【００５９】
本実施形態の別のパネル施工方法では、まず、図９の（ａ）に示すように、上記と同様の第一パネル貼付工程を行う。
【００６０】
第一パネル施工工程が終了すると、次に、目地テープ挿入工程を行う。図９の（ｂ）に示すように、目地テープ挿入工程では、目地テープ一方側端部１５ａを隙間Ｂに挿入する。ここで、隙間Ｂに挿入する目地テープ一方側端部１５ａ（粘着材７が剥離シート１８で覆われた三層の目地テープ１５）の、ＪＩＳ  Ｌ１９１３：２０１０に規定するガーレ法による剛軟度を、３ｍＮ以上とし、更には１２ｍＮ以上とすることが好ましい。
【００６１】
目地テープ挿入工程が終了すると、次に、剥離工程を行う。図９の（ｃ）に示すように、剥離工程では、隙間Ｂに挿入された目地テープ１５の粘着材７から剥離シート１８を剥がす。すると、目地テープ１５は、施工面３に貼り付けられる。
【００６２】
剥離工程が終了すると、次に、図９の（ｄ）に示すように、上記と同様の第二パネル貼付工程を行う。
【００６３】
このようにして第二パネル１ｂが施工面３に貼り付けられると、第一パネル１ａ及び第二パネル１ｂの間に所定幅の目地Ａが形成されるように、第一パネル１ａ及び第二パネル１ｂが施工面３に貼り付けられた状態となる。また、目地Ａにおいて施工面３が目地テープ１５で覆われるとともに、目地テープ一方側端部５ａ及び目地テープ他方側端部１５ｂが第一パネル１ａ及び第二パネル１ｂに覆われた状態となる。
【００６４】
以上説明したように、本実施形態のパネル施工方法では、目地テープ１５が粘着材７を備えるため、剥離シート１８の剥離により露出した粘着材７により、目地テープ１５を施工面３に貼り付けることができる。これにより、目地テープ１５が施工面３から剥がれたり外れたりするのを抑制することができる。
【００６５】
また、隙間Ｂに挿入する目地テープ一方側端部１５ａの剛軟度を３ｍＮ以上、更には１２ｍＮ以上とすることで、目地テープ１５のコシが強くなることにより、目地テープ１５を隙間Ｂに挿入する際の作業性が向上する。
【００６６】
以上、本発明の好適な実施形態について説明したが、本発明は上記実施形態に限定されるものではない。
【００６７】
例えば、上記実施形態では、パネルが矩形状であるものとして説明したが、パネルの形状は特に限定されるものではない。例えば、六角形のパネルを用いることで、隣り合うパネル間に蜂の巣状の目地を形成してもよい。また、全てのパネルが同じ形状である必要は無く、隣り合うパネルの間に目地を形成することができれば、異なるパネルを組み合わせてもよい。
【００６８】
また、第１の実施形態では、目地テープは、表裏面に粘着性を有しないものとして説明したが、第一パネルと施工面との間の隙間が大きい場合等は、裏面（施工面側の面）に粘着性を有してもよい。また、第一パネルと施工面との間の隙間に挿入できる程度の粘着性であれば、目地テープの裏面に粘着性を有してもよい。
【００６９】
また、第２の実施形態では、第一パネルと施工面との間の隙間に目地テープを挿入した後に、第二剥離シート部を剥離するものとして説明したが、第二剥離シート部を剥離した後に、第一パネルと施工面との間の隙間に目地テープを挿入してもよい。つまり、目地テープ挿入工程及び目地テープ貼付工程の順を入れ替えてもよい。この場合、隙間Ｂに挿入する目地テープ一方側端部５ａは、粘着材７に剥離シート１８が覆われた三層構造となる。このため、この三層構造の目地テープ５の、ＪＩＳ  Ｌ１９１３：２０１０に規定するガーレ法による剛軟度を、３ｍＮ以上とし、更には１２ｍＮ以上とすることが好ましい。
【００７０】
また、第２の実施形態では、剥離シートに形成される切込は、第一剥離シート部と第二剥離シート部とを分離する切断線であるものとして説明したが、例えば、剥離シートを厚さ方向に貫通しない切込みであってもよく、間欠的に貫通されたミシン目状の切り込みであってもよい。
【００７１】
また、第２の実施形態では、粘着材が基材の全面に付着しているものとして説明したが、第二剥離シート部に覆われる部分にのみ、粘着材が基材に付着しているものであってもよい。また、目地テープの第一パネルと施工面との間の隙間に挿入される部分では、粘着材の表面の一部がコーティングや架橋等により粘着性を有しなくなったものであってもよい。これらの場合は、剥離シートを剥離させた状態で、目地テープを第一パネルと施工面との間の隙間に挿入することができる。
【００７２】
また、第３の実施形態では、目地テープから剥離シートを剥離するものとして説明したが、剥離シートを剥離しなくてもよい。この場合、第１の実施形態と同様の方法で、パネルを施工することができる。
【実施例】
【００７３】
次に、本発明のパネル施工方法に用いる目地テープの実施例について説明する。但し、本発明のパネル施工方法に用いる目地テープは、以下の実施例に限定されるものではない。
【００７４】
目地テープとして、試料１〜試料１４を用意し、その厚さと、ＪＩＳ  Ｌ１９１３：２０１０に規定するガーレ法による剛軟度と、を測定した。そして、試料１〜試料１４を、第一パネルの端縁部と施工面との間の隙間に挿入した。この隙間は、１．４ｍｍであった。
【００７５】
次に、各試料の隙間への挿入作業性について評価した。評価では、隙間に挿入できなかった場合を×、隙間に挿入できたものの目地テープが撓んで隙間に挿入しにくかったものを△、多少の撓みはあるものの概ね良好に隙間に挿入できたものを〇、良好に隙間に挿入できたものを◎とした。評価結果を表１に示す。
【００７６】
表１に示すように、剛軟度が３ｍＮ未満となる試料１〜試料６の評価が△となり、剛軟度が３ｍＮ以上１２ｍＮ未満となる試料７〜９の評価が○となり、剛軟度が１２ｍＮ以上となる試料１０〜試料１４の評価が◎となった。この結果から、剛軟度を３ｍＮ以上とすることで、更には１２ｍＮ以上とすることで、目地テープを隙間に挿入する際の作業性が向上することが分かった。
【表１】
0006578848.tif 000002
【符号の説明】
【００７７】
１…パネル、１ａ…第一パネル、１ｂ…第二パネル、２…貼付材、３…施工面、４…目地テープ、４ａ…目地テープ一方側端部（目地テープの一方の側端部）、４ｂ…目地テープ他方側端部（目地テープの他方の側端部）、５…目地テープ、５ａ…目地テープ一方側端部（目地テープの一方の側端部）、５ｂ…目地テープ他方側端部（目地テープの他方の側端部）、６…基材、７…粘着材、８…剥離シート、８ａ…第一剥離シート部、８ｂ…第二剥離シート部、９…切込み、１１…表面、１２…裏面、１３…端縁部、１５…目地テープ、１５ａ…目地テープ一方側端部（目地テープの一方の側端部）、１５ｂ…目地テープ他方側端部（目地テープの他方の側端部）、１８…剥離シート、Ａ…目地、Ｂ…隙間、ｄ…目地幅。
【図１】
0006578848.tif 000003
【図２】
0006578848.tif 000004
【図３】
0006578848.tif 000005
【図４】
0006578848.tif 000006
【図５】
0006578848.tif 000007
【図６】
0006578848.tif 000008
【図７】
0006578848.tif 000009
【図８】
0006578848.tif 000010
【図９】
0006578848.tif 000011